(57)【要約】【課題】  製品寸法の大型化を抑えることができる空気調和機の室内機を提供する。【解決手段】  空気調和機の室内機は、室内熱交換器と前ドレンパン８１と後ドレンパン８２と連通路８３とを備える。室内熱交換器は、前後に配置される第２室内熱交換器と第１室内熱交換器とを少なくとも有する。前ドレンパン８１は、第２室内熱交換器の下方に配置されドレン水を受ける。後ドレンパン８２は、第１室内熱交換器の下方に配置されドレン水を受ける。連通路８３は、前ドレンパン８１と後ドレンパン８２との各右側端またはその近傍あるいは各左側端またはその近傍のいずれか一方のみにおいて、前ドレンパン８１と後ドレンパン８２とを連通させる。【選択図】        図６ 
2005069572.tif 000002
【特許請求の範囲】
【請求項１】
前後に配置される前熱交換部（５０ｂ）と後熱交換部（５０ａ）とを少なくとも有する熱交換器（５０）と、
前記前熱交換部（５０ｂ）の下方に配置されドレン水を受ける前ドレンパン（８１）と、
前記後熱交換部（５０ａ）の下方に配置されドレン水を受ける後ドレンパン（８２）と、
前記前ドレンパン（８１）と前記後ドレンパン（８２）との各右側端またはその近傍あるいは各左側端またはその近傍のいずれか一方のみにおいて前記前ドレンパン（８１）と前記後ドレンパン（８２）とを連通させる連通路（８３，９３）と、
を備える、
空気調和機の室内機（２）。
【請求項２】
前記前ドレンパン（８１）は、前記連通路（８３，９３）側がその反対側よりも下方に位置するように傾斜している、
請求項１に記載の空気調和機の室内機（２）。
【請求項３】
前記後ドレンパン（８２）は、前記連通路（８３，９３）側がその反対側よりも下方に位置するように傾斜している、
請求項１または２に記載の空気調和機の室内機（２）。
【請求項４】
前記連通路（８３，９３）は、ドレン水を排出する排出口（８４）を有する、
請求項１から３のいずれかに記載の空気調和機の室内機（２）。
【請求項５】
前記前ドレンパン（８１）と前記後ドレンパン（８２）との間に配置される第１送風ファン（７１）と、
前記第１送風ファン（７１）の側方に配置され前記第１送風ファン（７１）を回転駆動する第１ファンモータ（７２）と、
をさらに備え、
前記第１送風ファン（７１）と前記第１ファンモータ（７２）と前記連通路（８３）とは、上面視において前記第１送風ファン（７１）、前記第１ファンモータ（７２）、前記連通路（８３）の順に並んで配置されている、
請求項１から４のいずれかに記載の空気調和機の室内機（２）。
【請求項６】
前記連通路（８３）側とは反対側の前記第１送風ファン（７１）の側端近傍において前記第１送風ファン（７１）を回転自在に支持する支持部材（８８）をさらに備える、
請求項５に記載の空気調和機の室内機（２）。
【請求項７】
前記前ドレンパン（８１）と前記後ドレンパン（８２）との間に配置される第２送風ファン（９１）と、
前記第２送風ファン（９１）の側方に配置され前記第２送風ファン（９１）を回転駆動する第２ファンモータ（９２）と、
前記第２送風ファン（９１）と前記第２ファンモータ（９２）との間に設けられ、前記第２ファンモータ（９２）の回転を前記第２送風ファン（９１）に伝達する伝達軸（９４）と、
をさらに備え、
前記連通路（９３）は前記伝達軸（９４）の下方に配置されている、
請求項１から４のいずれかに記載の空気調和機の室内機（２）。
【請求項８】
前記連通路（９３）側とは反対側の前記第２送風ファン（９１）の側端近傍において前記第２送風ファン（９１）を回転自在に支持する支持部材（８８）をさらに備える、
請求項７に記載の空気調和機の室内機（２）。
【請求項９】
外部へと排出されるドレン水が通るドレンホース（８５）と、
前記ドレンホース（８５）が収容されるケーシング（７０）と、
前記ケーシングの内部に前記ドレンホース（８５）の長手方向に並んで設けられ前記ドレンホース（８５）を下方から支持する複数のドレンホース支持部（８９）と、
をさらに備え、
前記ドレンホース（８５）の長手方向であってドレン水の出口側に配置される前記ドレンホース支持部（８９）ほど前記ドレンホース（８５）を支持する高さが低くなるように前記複数のドレンホース支持部（８９）は形成される、
請求項１から８のいずれかに記載の空気調和機の室内機（２）。
【請求項１０】
前記前ドレンパン（８１）と前記後ドレンパン（８２）とは略同じ高さに位置する、
請求項１から９のいずれかに記載の空気調和機の室内機（２）。
【発明の詳細な説明】
【技術分野】
【０００１】
本発明は、空気調和機の室内機に関する。
【背景技術】
【０００２】
近年、空気調和機の室内機においては、前後に配置される前熱交換部と後熱交換部とを少なくとも有する熱交換器が備えられることが多い。例えば、側面視において略逆Ｖ字型の形状を有する熱交換器がよく利用されている。
一方、熱交換器においては熱交換作用に伴って空気中の水分が結露してドレン水が発生する。従って、上記のような熱交換器においては、前熱交換部と後熱交換部とのそれぞれからドレン水が発生する。このため、上記のような熱交換器を備える空気調和機の室内機においては、前熱交換部の下方に前ドレンパンが設けられ、後熱交換部の下方に後ドレンパンが設けられる。そして、従来の空気調和機の室内機では、前ドレンパンに滴下したドレン水と後ドレンパンに滴下したドレン水とを集めて排出するために、前ドレンパンと後ドレンパンとの両側端またはその近傍をそれぞれ連通させる連通路が設けられること多い（特許文献１参照）。
【特許文献１】特開２００１−１５３３９２号公報
【発明の開示】
【発明が解決しようとする課題】
【０００３】
しかし、従来の空気調和機の室内機のように、前ドレンパンと後ドレンパンとの両側端をそれぞれ連通させる連通路が設けられる場合、空気調和機の室内機の製品寸法が大きくなり易い。すなわち、空気調和機の室内機には、送風ファンやファンモータなどの構成部品が収容されるが、これらの構成部品は前ドレンパンと後ドレンパンとの間の空間にも配置されることが通常である。従って、連通路が前ドレンパンと後ドレンパンとの両側端を連通させていると、構成部品の両側方近傍に連通路が設けられることになる。このため、設計上、構成部品と連通路との位置関係が問題となり、構成部品や連通路の配置が制限されることがある。このような場合、構成部品や連通路の配置の自由度が低くなるため、空気調和機の室内機の製品寸法の大型化を抑えることは困難である。
【０００４】
本発明の課題は、製品寸法の大型化を抑えることができる空気調和機の室内機を提供することにある。
【課題を解決するための手段】
【０００５】
請求項１に記載の空気調和機の室内機は、熱交換器と前ドレンパンと後ドレンパンと連通路とを備える。熱交換器は、前後に配置される前熱交換部と後熱交換部とを少なくとも有する。前ドレンパンは、前熱交換部の下方に配置されドレン水を受ける。後ドレンパンは、後熱交換部の下方に配置されドレン水を受ける。連通路は、前ドレンパンと後ドレンパンとの各右側端またはその近傍あるいは各左側端またはその近傍のいずれか一方のみにおいて、前ドレンパンと後ドレンパンとを連通させる。
【０００６】
この空気調和機の室内機では、連通路は、前ドレンパンと後ドレンパンとの各右側端またはその近傍あるいは各左側端またはその近傍のいずれか一方のみにおいて、前ドレンパンと後ドレンパンとを連通させる。このため、連通路が前ドレンパンと後ドレンパンと両側端を連通させる場合と比べて、他の構成部品や連通路の配置の自由度が高い。これにより、この空気調和機の室内機では、製品寸法の大型化を抑えることができる。
【０００７】
請求項２に記載の空気調和機の室内機は、請求項１に記載の空気調和機の室内機であって、前ドレンパンは、連通路側がその反対側よりも下方に位置するように傾斜している。
この空気調和機の室内機では、前ドレンパンは、連通路側がその反対側よりも下方に位置するように傾斜している。このため、前ドレンパンに受けられたドレン水は、前ドレンパンの連通路側へと流れて集められる。これにより、この空気調和機の室内機では、ドレン水の排水性を向上させることができる。
【０００８】
請求項３に記載の空気調和機の室内機は、請求項１または２に記載の空気調和機の室内機であって、後ドレンパンは、連通路側がその反対側よりも下方に位置するように傾斜している。
この空気調和機の室内機では、後ドレンパンは、連通路側がその反対側よりも下方に位置するように傾斜している。このため、後ドレンパンに受けられたドレン水は、後ドレンパンの連通路側へと流れて集められる。これにより、この空気調和機の室内機では、ドレン水の排水性を向上させることができる。
【０００９】
請求項４に記載の空気調和機の室内機は、請求項１から３のいずれかに記載の空気調和機の室内機であって、連通路は、ドレン水を排出する排出口を有する。
この空気調和機の室内機では、連通路は、ドレン水を排出する排出口を有する。このため、前ドレンパンによって受けられたドレン水と後ドレンパンによって受けられたドレン水とを連通路に集めて排出口から排出することができる。このため、連通路が前ドレンパンおよび後ドレンパンの側端の一方のみを連通させる場合であっても、排水性よくドレン水を排出することができる。
【００１０】
請求項５に記載の空気調和機の室内機は、請求項１から４のいずれかに記載の空気調和機の室内機であって、第１送風ファンと第１ファンモータとをさらに備える。第１送風ファンは、前ドレンパンと後ドレンパンとの間に配置される。第１ファンモータは、第１送風ファンの側方に配置され第１送風ファンを回転駆動する。第１送風ファンと第１ファンモータと連通路とは、上面視において第１送風ファン、第１ファンモータ、連通路の順に並んで配置されている。
【００１１】
一般に、ファンモータは、送風ファンを回転駆動するため、送風ファンに近接して配置されることが通常である。このため、連通路を送風ファンとファンモータとを避けてその下方に配置することも考えられるが、この場合、空気調和機の室内機の上下方向の寸法が大きくなり易い。
この空気調和機の室内機では、第１送風ファンと第１ファンモータと連通路とは、上面視において第１送風ファン、第１ファンモータ、連通路の順に並んで配置されている。すなわち、連通路は、第１送風ファンと第１ファンモータとの外側に配置される。このため、この空気調和機の室内機では、上下方向の寸法の大型化を抑えることができる。
【００１２】
請求項６に記載の空気調和機の室内機は、請求項５に記載の空気調和機の室内機であって、支持部材をさらに備える。支持部材は、連通路側とは反対側の第１送風ファンの側端近傍において第１送風ファンを回転自在に支持する。
一般に、空気調和機の室内機においては、送風ファンの一方の側端にファンモータが固定されると共に、他方の側端を支持する支持部材が設けられることが多い。この場合、連通路が前ドレンパンと後ドレンパンとの両側端を連通させるように配置されていると、支持部材と連通路との位置関係が問題となり、製品寸法が大型化し易くなる。
【００１３】
しかし、この空気調和機の室内機では、支持部材は、連通路側とは反対側の第１送風ファンの側端近傍において第１送風ファンを回転自在に支持する。すなわち、支持部材は、第１送風ファンの連通路が設けられていない側端近傍に設けられる。このため、この空気調和機の室内機では、支持部材と連通路との位置関係が問題とならず、製品寸法の大型化を抑えることができる。
【００１４】
請求項７に記載の空気調和機の室内機は、請求項１から４のいずれかに記載の空気調和機の室内機であって、第２送風ファンと第２ファンモータと伝達軸とをさらに備える。第２送風ファンは、前ドレンパンと後ドレンパンとの間に配置される。第２ファンモータは、第２送風ファンの側方に配置され、第２送風ファンを回転駆動する。伝達軸は、第２送風ファンと第２ファンモータとの間に設けられ、第２ファンモータの回転を第２送風ファンに伝達する。そして、連通路は伝達軸の下方に配置されている。
【００１５】
この空気調和機の室内機では、連通路は伝達軸の下方に配置されている。伝達軸は、第２送風ファンやファンモータよりも小さな外径のものを容易に利用することができる。従って、この空気調和機の室内機では、連通路が伝達軸の下方に配置されることにより、第２送風ファンや第２ファンモータの下方に連通路が配置される場合よりも、上下方向の製品寸法を小さくすることができる。
【００１６】
請求項８に記載の空気調和機の室内機は、請求項７に記載の空気調和機の室内機であって、支持部材をさらに備える。支持部材は、連通路側とは反対側の第２送風ファンの側端近傍において、第２送風ファンを回転自在に支持する。
一般に、空気調和機の室内機においては、送風ファンの一方の側端にファンモータが固定されると共に、他方の側端を支持する支持部材が設けられることが多い。連通路が前ドレンパンと後ドレンパンとの両側端を連通する場合には、支持部材と連通路との位置関係が問題となり、製品寸法が大型化し易くなる。
【００１７】
しかし、この空気調和機の室内機では、支持部材は、連通路側とは反対側の第２送風ファンの側端近傍において第２送風ファンを回転自在に支持する。すなわち、支持部材は、第２送風ファンの連通路が設けられていない側端近傍に設けられる。このため、この空気調和機の室内機では、支持部材と連通路との位置関係が問題とならず、製品寸法の大型化を抑えることができる。
【００１８】
請求項９に記載の空気調和機の室内機は、請求項１から８のいずれかに記載の空気調和機の室内機であって、ドレンホースとケーシングと複数のドレンホース支持部とをさらに備える。ドレンホースには、外部へと排出されるドレン水が通る。ケーシングには、ドレンホースが収容される。複数のドレンホース支持部は、ケーシングの内部にドレンホースの長手方向に並んで設けられ、ドレンホースを下方から支持する。そして、複数のドレンホース支持部は、ドレンホースの長手方向であってドレン水の出口側に配置されるドレンホース支持部ほどドレンホースを支持する高さが低くなるように形成される。
【００１９】
この空気調和機の室内機では、複数のドレンホース支持部は、ドレンホースの長手方向であってドレン水の出口側に配置されるドレンホース支持部ほどドレンホースを支持する高さが低くなるように形成される。このため、複数のドレンホース支持部によって支持されるドレンホースは、長手方向のドレン水の出口側ほど低くなるように傾斜して配置される。従って、この空気調和機の室内機では、ドレンホース内を流れるドレン水の排水性を向上させることができる。
【００２０】
請求項１０に記載の空気調和機の室内機は、請求項１から９のいずれかに記載の空気調和機の室内機であって、前ドレンパンと後ドレンパンとは略同じ高さに位置する。
この空気調和機の室内機では、前ドレンパンと後ドレンパンとは略同じ高さに位置する。このため、前ドレンパンと後ドレンパンとの高さの異同によって生じる上下方向の製品寸法の大型化を抑えることができる。
【発明の効果】
【００２１】
請求項１に記載の空気調和機の室内機では、連通路は、前ドレンパンと後ドレンパンとの各右側端またはその近傍あるいは各左側端またはその近傍のいずれか一方のみにおいて、前ドレンパンと後ドレンパンとを連通させる。このため、連通路が前ドレンパンと後ドレンパンと両側端を連通させる場合と比べて、他の構成部品や連通路の配置の自由度が高い。これにより、この空気調和機の室内機では、製品寸法の大型化を抑えることができる。
【００２２】
請求項２に記載の空気調和機の室内機では、前ドレンパンは、連通路側がその反対側よりも下方に位置するように傾斜している。このため、前ドレンパンに受けられたドレン水は、前ドレンパンの連通路側へと流れて集められる。これにより、この空気調和機の室内機では、ドレン水の排水性を向上させることができる。
請求項３に記載の空気調和機の室内機では、後ドレンパンは、連通路側がその反対側よりも下方に位置するように傾斜している。このため、後ドレンパンに受けられたドレン水は、後ドレンパンの連通路側へと流れて集められる。これにより、この空気調和機の室内機では、ドレン水の排水性を向上させることができる。
【００２３】
請求項４に記載の空気調和機の室内機では、連通路は、ドレン水を排出する排出口を有する。このため、前ドレンパンによって受けられたドレン水と後ドレンパンによって受けられたドレン水とを連通路に集めて排出口から排出することができる。このため、連通路が前ドレンパンおよび後ドレンパンの側端の一方のみを連通させる場合であっても、排水性よくドレン水を排出することができる。
【００２４】
請求項５に記載の空気調和機の室内機では、第１送風ファンと第１ファンモータと連通路とは、上面視において第１送風ファン、第１ファンモータ、連通路の順に並んで配置されている。すなわち、連通路は、第１送風ファンと第１ファンモータとの外側に配置される。このため、この空気調和機の室内機では、上下方向の寸法の大型化を抑えることができる。
【００２５】
請求項６に記載の空気調和機の室内機では、支持部材は、連通路側とは反対側の第１送風ファンの側端近傍において第１送風ファンを回転自在に支持する。すなわち、支持部材は、第１送風ファンの連通路が設けられていない側端近傍に設けられる。このため、この空気調和機の室内機では、支持部材と連通路との位置関係が問題とならず、製品寸法の大型化を抑えることができる。
【００２６】
請求項７に記載の空気調和機の室内機では、連通路は伝達軸の下方に配置されている。伝達軸は、第２送風ファンやファンモータよりも小さな外径のものを容易に利用することができる。従って、この空気調和機の室内機では、連通路が伝達軸の下方に配置されることにより、第２送風ファンや第２ファンモータの下方に連通路が配置される場合よりも、上下方向の製品寸法を小さくすることができる。
【００２７】
請求項８に記載の空気調和機の室内機では、支持部材は、連通路側とは反対側の第２送風ファンの側端近傍において第２送風ファンを回転自在に支持する。すなわち、支持部材は、第２送風ファンの連通路が設けられていない側端近傍に設けられる。このため、この空気調和機の室内機では、支持部材と連通路との位置関係が問題とならず、製品寸法の大型化を抑えることができる。
【００２８】
請求項９に記載の空気調和機の室内機では、複数のドレンホース支持部は、ドレンホースの長手方向であってドレン水の出口側に配置されるドレンホース支持部ほどドレンホースを支持する高さが低くなるように形成される。このため、複数のドレンホース支持部によって支持されるドレンホースは、長手方向のドレン水の出口側ほど低くなるように傾斜して配置される。従って、この空気調和機の室内機では、ドレンホース内を流れるドレン水の排水性を向上させることができる。
【００２９】
請求項１０に記載の空気調和機の室内機では、前ドレンパンと後ドレンパンとは略同じ高さに位置する。このため、前ドレンパンと後ドレンパンとの高さの異同によって生じる上下方向の製品寸法の大型化を抑えることができる。
【発明を実施するための最良の形態】
【００３０】
＜空気調和機の全体構成＞
本発明の一実施形態が採用された空気調和機１の外観を図１に示す。
この空気調和機１は、室内の壁面などに取り付けられる室内機２と、室外に設置される室外機３とを備えている。
室内機２内には室内熱交換器５０が収納され、室外機３内には室外熱交換器３０が収納されており、各熱交換器３０，５０が冷媒配管４により接続されることにより冷媒回路を構成している。
【００３１】
＜空気調和機の冷媒回路の構成概略＞
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００３２】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００３３】
＜室内機の構成＞
図３（ａ）に室内機２の正面図、図３（ｂ）に室内機２の側面図を示す。室内機２は、正面視に置いて横方向に長い形状を有している。
室内機２は、主として、上部ケーシング６、下部ユニット７および室内機２の内部に収容されている室内熱交換器ユニット５（図４参照）によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。
【００３４】
以下、室内機２の各構成について説明する。
［室内熱交換器ユニット］
室内熱交換器ユニット５は、図４に示すように、室内熱交換器５０、補助配管５１、熱交換器支持部材５２等によって構成されている。なお、図４は、上部ケーシング６が取り外された状態の下部ユニット７および室内熱交換器ユニット５の外観斜視図である。室内熱交換器ユニット５の室内熱交換器５０は、逆Ｖ字型の形状を有しており下方が開口しているため、室内熱交換器ユニット５は、クロスフローファン７１や室内ファンモータ７２が取り付けられた状態の下部ユニット７に上方から被せられ、熱交換器支持部材５２を介して下部ユニット７に支持される。
【００３５】
〈室内熱交換器〉
図５に室内機２の側面断面図を示す。室内熱交換器５０は、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００３６】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００３７】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００３８】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００３９】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００４０】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００４１】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが、それぞれ前後に対称になっている。なお、室内熱交換器５０は、側面視においては上記のように前後対称な逆Ｖ字型を含む断面形状に形成されているが、正面視においては横方向に長い形状を有している。
【００４２】
〈補助配管〉
補助配管５１は、室内熱交換器５０と、室内機２の外部にある冷媒配管４を繋いでおり、室内熱交換器５０と室外熱交換器３０との間を行き来する冷媒が流れる。補助配管５１は、図４に示すように、室内熱交換器５０の側面から突出する伝熱管に接続されている。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されている。そして、補助配管５１は、室内熱交換器５０の右側の空間を室内機２の背面側に沿って下方へと伸び、室内機２の後側下部の空間で室内機２の左側面に向けてさらに屈曲され、冷媒配管４に接続されている。
【００４３】
なお、ここでいう「右」や「左」とは、室内機２の正面視における右や左を意味しており、以下同様である。
〈熱交換器支持部材〉
熱交換器支持部材５２は、室内熱交換器５０の両側面付近に設けられており、図４に示すように、室内熱交換器５０を内側から支持すると共に、室内ファンモータ７２を覆い、補助配管５１を固定している。熱交換器支持部材５２は、室内熱交換器５０の右側面付近に設けられており、側板５４とモータカバー５５と配管固定部材５６とを有している。
【００４４】
側板５４は、室内熱交換器５０の逆Ｖ字型に沿った形状を有する板状の部分であり、室内熱交換器５０を外側から支持している。
モータカバー５５は、室内ファンモータ７２の上半分を覆っている。モータカバー５５は、円弧状に湾曲する曲面形状を一部に有しており、側板５４から室内熱交換器５０の側方へと突出している。モータカバー５５は、室内ファンモータ７２の円周面の上半分と対向しており、室内ファンモータ７２の上方を覆っている。
【００４５】
なお、室内熱交換器５０の右側面からは補助配管５１が外側へと延びており、モータカバー５５は補助配管５１の下方に位置している。モータカバー５５は、補助配管５１から滴下したドレン水がドレンパン８０（図６参照）へと流れるように形成されており、ドレン水から室内ファンモータ７２を保護している。
配管固定部材５６は、補助配管５１の変形を抑えるために補助配管５１を固定する。配管固定部材５６は、室内熱交換器５０の側方で取り回されている補助配管５１の一部においてその全周を覆うことによって補助配管５１を固定する。配管固定部材５６は、第１配管固定部材５７と第２配管固定部材５８とを有している。第１配管固定部材５７は、側板５４に一体化されており、補助配管５１の側方を覆うことによって補助配管５１の側方への移動を規制する。第２配管固定部材５８は、補助配管５１を挟んで第１配管固定部材５７の反対側から補助配管５１を固定する。第２配管固定部材５８は、第１配管固定部材５７とは別体に形成されており、第１配管固定部材５７に取り付けられる。
【００４６】
［上部ケーシング］
上部ケーシング６は、図３および図５に示すように、室内機２の上部を構成しており、上前面部６０、天面部６１および上側面部６２，６３によって構成されている。
上前面部６０は、室内機２の前側上部を覆っており、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００４７】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００４８】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００４９】
［下部ユニット］
下部ユニット７は、室内機２の下部を構成しており、図４に示すように、下部ケーシング７０、クロスフローファン７１、室内ファンモータ７２、電装品箱７３（図８参照）等がモジュール化されて構成されている。
〈下部ケーシング〉
下部ケーシング７０は、図３および図５に示すように、下前面部７４、底面部７５、下側面部７６，７７、支持部７８等によって構成されている。
【００５０】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図５に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００５１】
底面部７５は、室内機２の底面を覆っており、平坦に形成されている。底面部７５は、水平に配置されており、その上に支持部７８が配置されている。底面部７５の背面側の上方には、後述するドレンホース８５や補助配管５１が収容される配管収容空間Ｓ１が設けられており、底面部７５のうち配管収容空間Ｓ１に面する部分には、複数のリブ８９が設けられている。複数のリブ８９は、図９に示すように、左右方向すなわちドレンホース８５の長手方向に並んで設けられており、ドレンホース８５を下方から支持する。複数のリブ８９は、ドレンホース８５の長手方向であってドレン水の出口側に配置されるリブ８９ほどドレンホース８５を支持する高さが低くなるように形成されている。このため、ドレンホース８５は、ドレン水の出口側が低くなるように傾斜して配置されており、ドレン水の排水性が向上している。
【００５２】
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００５３】
支持部７８は、下前面部７４、底面部７５、下側面部７６，７７に囲まれており、支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。支持部７８は、室内熱交換器ユニット５の熱交換器支持部材５２を介して室内熱交換器５０を支持する。支持部７８の上面は、クロスフローファンの中心軸と略同じ高さとなっている。
【００５４】
また、支持部７８の上面には、図６に示すように、ドレンパン８０、ファン収容部８７、ファン支持部材８８が設けられている。
ドレンパン８０は、熱交換時に室内熱交換器５０の表面に発生するドレン水を受ける部分であり、支持部７８の上面から下方に窪んだ凹状の部材によって形成されている。このドレンパン８０は、前ドレンパン８１、後ドレンパン８２、連通路８３を有している。
【００５５】
前ドレンパン８１は、図５に示すように、第３室内熱交換器５０ｃの下方に、すなわち室内熱交換器５０の前側下端の下方に配置されている。後ドレンパン８２は、第４室内熱交換器５０ｄ、すなわち室内熱交換器５０の後側下端の下方に配置されている。前ドレンパン８１と後ドレンパン８２とは、クロスフローファン７１を挟んで前後に配置されている。前ドレンパン８１と後ドレンパン８２とは、略同じ高さに位置しており、前ドレンパン８１と後ドレンパン８２との底面はクロスフローファン７１の中心軸の高さよりも低い位置にあり、室内熱交換器５０の下端に近接して配置されている。また、前ドレンパン８１と後ドレンパン８２とは、それぞれドレン水を受ける底面が、右側が左側よりも下方に位置するように長手方向に沿って僅かに傾斜している。
【００５６】
連通路８３は、図６に示すように、支持部７８の右側部分に設けられており、前ドレンパン８１と後ドレンパン８２との各右側端のみにおいて前ドレンパン８１と後ドレンパン８２とを連通させている。すなわち、前ドレンパン８１と後ドレンパン８２とは、下方に傾斜している側のみにおいて連通されている。また、支持部７８の左側部分には連通路が設けられておらず、前ドレンパン８１と後ドレンパン８２との各左側端では前ドレンパン８１と後ドレンパン８２とは連通していない。連通路８３は、室内ファンモータ７２の右側方に配置されており、上面視において、クロスフローファン７１、室内ファンモータ７２、連通路８３の順に左右方向（室内機２の長手方向）に並んで配置されている。従って、ドレンパン８０は、クロスフローファン７１および室内ファンモータ７２の前方、右側方および後方を囲むように配置されている。
【００５７】
また、連通路８３には、ドレン水を排出する排出口８４が設けられている。排出口８４は、図７示すように、連通路８３の底面から下方へと貫通しており、ドレン水をドレンパン８０から外部へと排出するためのドレンホース８５の内部と連通している。室内熱交換器５０から滴下したドレン水は、前ドレンパン８１と後ドレンパン８２とによって受けられ、連通路８３で集められ、排出口８４からドレンホース８５を経て機外へと排出される。ドレンホース８５は、下部ケーシング７０の背面側下方の配管収納空間Ｓ１に、補助配管５１と共に収容されている。ドレンホース８５と補助配管５１とは、図５に示すように、配管収納空間Ｓ１において上下に並んで配置されており、ドレンホース８５が最も下に位置している。
【００５８】
ファン収容部８７は、図６に示すように、クロスフローファン７１と室内ファンモータ７２とが収容される部分であり、支持部７８の上面の中央付近に設けられている。ファン収容部８７は、図８に示すように、支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００５９】
ファン支持部材８８は、図６に示すように、クロスフローファン７１の左側方に配置されており、クロスフローファン７１を回転自在に支持する。ファン支持部材８８は、前ドレンパン８１と後ドレンパン８２との各左側端の間に位置しており、クロスフローファン７１の連通路８３側とは反対側に位置している。
また、図８に示すように、支持部７８は、後ドレンパン８２とクロスフローファン７１との間に、支持部７８の上面から上方へと突出する舌部８６を有している。この舌部８６は、クロスフローファン７１の後方を覆っており、舌部８６の上端はクロスフローファン７１の頂上部分より若干低い高さに位置している。
【００６０】
以上のように、支持部７８の上面には、前ドレンパン８１、後ドレンパン８２およびファン収容部８７が設けられ、舌部８６が上方へ突出しているが、支持部７８の上面の他の部分は概ね平坦かつ水平に形成されており、クロスフローファン７１の中心線と略同じ高さに位置している。
また、上記のように、支持部７８の最も高い位置にある部分は舌部８６であるが、舌部８６は、クロスフローファン７１の頂上部分の高さ以下に位置している。さらに、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００６１】
なお、支持部７８の上面の背面側もクロスフローファン７１の高さ以下となっているが、上部ケーシング６の天面部６１と支持部７８の上面の背面側との間の部分は、室内の壁面に取り付けられる据付板８によって塞がれる（図５参照）。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００６２】
〈クロスフローファン〉
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置しており、上面視において前ドレンパン８１と後ドレンパン８２との間に配置されている。クロスフローファン７１は、支持部７８によって支持され、支持された状態のクロスフローファン７１の上半分は支持部７８の上面から上方へ突出している。
【００６３】
〈室内ファンモータ〉
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図６に示すように、クロスフローファン７１の右側方にクロスフローファン７１と同軸に配置されており、室内ファンモータ７２が支持部７８に取り付けられた状態では、室内ファンモータ７２とクロスフローファン７１との頂上部分との高さは略同じとなっている（図８参照）。
【００６４】
〈電装品箱〉
電装品箱７３は、図６示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置する。電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した室内熱交換器ユニット５の補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している（図８参照）。
【００６５】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
＜特徴＞
（１）
この空気調和機１の室内機２では、前ドレンパン８１と後ドレンパン８２とを連通させる連通路８３が、クロスフローファン７１と室内ファンモータ７２との右側方にのみ設けられており、その左側方には設けられていない。そして、前ドレンパン８１と後ドレンパン８２との各左側端の間には、ファン支持部材８８が設けられている。このため、ファン支持部材８８が連通路と上下方向に重なって配置されていない。また、連通路８３は、クロスフローファン７１と室内ファンモータ７２との右側方に設けられており、連通路８３は、クロスフローファン７１と室内ファンモータ７２と上下方向に重なって配置されていない。このため、空気調和機１の室内機２の上下方向の製品寸法が抑えられている。
【００６６】
さらに、ファン支持部材８８の左側方に前ドレンパン８１と後ドレンパン８２との左側端を連通させる連通路が設けられる場合と比べて、左右方向の製品寸法も抑えられている。
（２）
この空気調和機１の室内機２では、前ドレンパン８１および後ドレンパン８２が傾斜しており、下方に位置する側の側端（右側端）が連通路８３によって連通されている。このため、前ドレンパン８１および後ドレンパン８２に受けられたドレン水は連通路８３側へと流れて連通路８３に集められる。従って、ドレン水が前ドレンパン８１および後ドレンパン８２に溜まることが防止されており、排水性が向上している。
【００６７】
特に、従来の空気調和機の室内機のように、前ドレンパン８１および後ドレンパン８２が左右両側端において連通している場合、左右両側端にそれぞれ排水口が設けられることが多い。このような空気調和機の室内機においては、配管施工性などを考慮していずれか一方の排水口が選択され他方の排水口は閉じられる。この場合、いずれの排水口が選択されるかは、空気調和機の室内機の据付時まで不明であるため、前ドレンパン８１に傾斜を付けることができない。このため、このような空気調和機の室内機では、前ドレンパン８１は水平に設けられることが通常である。この場合、ドレン水の排水性が低くなり、前ドレンパン８１および後ドレンパン８２においてドレン水が溜まる恐れがある。
【００６８】
しかし、この空気調和機１の室内機２では、連通路８３が前ドレンパン８１および後ドレンパン８２の一方の側端のみに設けられているため、前ドレンパン８１および後ドレンパン８２を傾斜させて設けることができる。このため、この空気調和機１の室内機２では、ドレン水の排水性が向上している。
（３）
この空気調和機１の室内機２では、連通路８３が前ドレンパン８１および後ドレンパン８２の一方の側端のみに設けられており、排出口８４が一ヶ所のみに設けられている。このため、排出口８４が２箇所以上設けられる場合に比べて、使用しない排出口８４に取り付けられるドレンソケットが不要となっている。このため、この空気調和機１の室内機２では、部品点数削減によりコストが低減している。
【００６９】
＜他の実施形態＞
（１）
上記の実施形態では、クロスフローファン７１と室内ファンモータ７２と連通路８３とが左右方向に順に並んで配置されているが、連通路８３がクロスフローファン７１と室内ファンモータ７２との間に配置されてもよい。例えば、図１０に示すように、クロスフローファン９１と室内ファンモータ９２とが連通路９３を挟んで配置されており、ファン支持部材８８、クロスフローファン９１、連通路９３、室内ファンモータ９２が左右方向に順に並んで配置されている。ここでは、上記の実施形態とは異なり、クロスフローファン９１と室内ファンモータ９２とが離れて配置されているが、クロスフローファン９１と室内ファンモータ９２とは伝達軸９４によって接続されており、室内ファンモータ９２の回転が伝達軸９４によってクロスフローファン９１へと伝達される。そして、連通路９３は、伝達軸９４の下方に配置されている。
【００７０】
なお、上記のような配置や伝達軸９４を除いては、クロスフローファン９１はクロスフローファン７１と同様の構成であり、室内ファンモータ９２は室内ファンモータ７２と同様の構成であり、連通路９３は連通路８３と同様の構成である。また、他の構成については上記の実施形態にかかる空気調和機１の室内機２と同様である。さらに、伝達軸９４は、室内ファンモータ９２の一部であってもよく、クロスフローファン７１の一部であってもよい。
【００７１】
このような構成によっても空気調和機１の室内機２の製品寸法を抑えることができる。すなわち、伝達軸９４は、クロスフローファン９１と室内ファンモータ９２とよりも外径を十分に小さくすることが可能であるため、連通路９３と上限方向に重複して配置されたとしても、空気調和機１の室内機２の上下方向の寸法の増大に与える影響は小さい。また、前ドレンパン８１と後ドレンパン８２との左側端においては、上記の実施形態と同様に連通路が設けられておらず、ファン支持部材８８が設けられている。このため、上記のような構成によっても空気調和機１の室内機２の製品寸法を抑えることができる。
【００７２】
（２）
上記の実施形態では、前ドレンパン８１と後ドレンパン８２との各右側端が連通路８３によって連通されているが、厳密に右側端ではなく前ドレンパン８１と後ドレンパン８２との各右側端近傍が連通されてもよい。
また、前ドレンパン８１と後ドレンパン８２との各右側端ではなく、左側端またはその近傍のみにおいて前ドレンパン８１と後ドレンパン８２とが連通されてもよい。この場合も上記と同様の効果を奏することができる。
【００７３】
（３）
上記の実施形態では、前ドレンパン８１と後ドレンパン８２とが略同じ高さに位置しているが、前ドレンパン８１と後ドレンパン８２とが異なる場合にも本発明は適用可能である。
また、この場合、高い位置にあるドレンパンの勾配は、左右どちらにもとることができる。例えば、後ドレンパン８２が前ドレンパン８１よりも高い位置にある場合、後ドレンパン８２に左側が低くなるような勾配をつけ、連通路８３を左側に設け、前ドレンパン８１に右側が低くなるように勾配をつけ、前ドレンパン８１の右端から排水する構成にすることができる。このような構成では、後ドレンパン８２に滴下したドレン水は、後ドレンパン８２、連通路８３、前ドレンパン８１を順に通って流れ、前ドレンパン８１の右端から排水される。
【００７４】
（４）
上記の実施形態では、複数のリブ８９がドレンホース８５を支持しているが、リブ８９とは異なる形態のドレンホース支持部が設けられてもよい。例えば、Ｌ字型のフックによってドレンホース８９が支持されてもよい。
【図面の簡単な説明】
【００７５】
【図１】空気調和機の外観図。
【図２】空気調和機の冷媒回路図。
【図３】（ａ）空気調和機の室内機の正面図。
【００７６】
（ｂ）空気調和機の室内機の右側面図。
【図４】下部ユニットおよび熱交換器ユニットの外観斜視図。
【図５】空気調和機の室内機の側面断面図。
【図６】下部ユニットの上面図。
【図７】下部ユニットの側面断面図。
【図８】下部ユニットの右側面図。
【図９】下部ユニットの背面図。
【図１０】他の実施形態にかかる空気調和機の室内機の下部ユニットの上面図。
【符号の説明】
【００７７】
１          空気調和機
２          室内機
５０        室内熱交換器（熱交換器）
５０ａ      第1室内熱交換器（後熱交換部）
５０ｂ      第２室内熱交換器（前熱交換部）
７０        下部ケーシング（ケーシング）
７１        クロスフローファン（第１送風ファン）
７２        室内ファンモータ（第１ファンモータ）
８１        前ドレンパン
８２        後ドレンパン
８３，９３  連通路
８４        排出口
８５        ドレンホース
８８        ファン支持部材（支持部材）
８９        リブ（ドレンホース支持部）
９１        クロスフローファン（第２送風ファン）
９２        室内ファンモータ（第２ファンモータ）
９４        伝達軸
【図１】
2005069572.tif 000003
【図２】
2005069572.tif 000004
【図３】
2005069572.tif 000005
【図４】
2005069572.tif 000006
【図５】
2005069572.tif 000007
【図６】
2005069572.tif 000008
【図７】
2005069572.tif 000009
【図８】
2005069572.tif 000010
【図９】
2005069572.tif 000011
【図１０】
2005069572.tif 000012